(57)【要約】【課題】使用者が必要な給湯温度と給湯量とに基づいて、貯湯タンクの残湯量に応じた湯水沸き上げ完了予測時間を算出し、表示することのできる貯湯式給湯機を得ること。【解決手段】貯湯タンクユニット制御部は、温度センサ１２ａ〜１２ｃによって検出された残湯温度に基づいて、貯湯タンク１２が現在持っている貯湯タンク現在熱量Ｑ２を算出し、予め設定した貯湯タンク設定熱量Ｑ３より少なくなると、貯湯タンク１２内の湯水の沸き上げを開始する。使用者が設定した必要給湯温度と必要給湯量と給水温度とに基づいて、使用者が給湯に必要としている必要給湯熱量Ｑ１を算出し、ヒートポンプユニット５０の給湯機加熱能力Ｑ０に基づいて、使用者が給湯に必要としている必要給湯熱量を沸き上げるまでに要する必要給湯熱量沸き上げ時間Ｔｈｗを算出し、リモートコントローラ６０Ａ，６０Ｂの表示部に表示させる。【選択図】図１
2010281545.tif 000002
【特許請求の範囲】
【請求項１】
貯湯タンクと、該貯湯タンクに貯留された湯水を湯に沸き上げる熱源機と、前記貯湯タンク内の残湯量と残湯温度とを検出する残湯量／温度検出部と、前記貯湯タンクに給水する水の温度を検出する給水温度検出部と、前記残湯量／温度検出部と前記給水温度検出部との情報により前記熱源機を制御して前記貯湯タンクに貯留された湯水を沸き上げる制御部と、該制御部と通信するリモートコントローラとを備え、前記貯湯タンクに貯留した湯を該貯湯タンクから所定の給湯先に供給する貯湯式給湯機であって、
前記リモートコントローラは、使用者が必要とする給湯温度を設定する給湯温度設定部と、使用者が必要とする給湯量を設定する給湯量設定部と、表示部とを備え、
前記制御部は、前記給湯温度設定部と前記給湯量設定部とで設定された設定値に基づいて使用者が給湯に必要としている必要給湯熱量と、前記残湯量／温度検出部と前記給水温度検出部とで検出された検出値に基づいて前記貯湯タンク現在熱量を算出し、前記熱源機により湯水を湯に沸き上げる給湯機加熱能力に基づいて、前記貯湯タンクの湯水の沸き上げを開始してから前記必要給湯熱量に到達するまでの沸き上げ完了時間を算出し、前記リモートコントローラの表示部に該算出した沸き上げ完了時間を表示するように制御することを特徴とする貯湯式給湯機。
【請求項２】
前記リモートコントローラは、使用者が任意に前記表示部の表示内容を設定変更できる表示切換スイッチをさらに備え、
前記表示切換スイッチは、前記リモートコントローラの表示部に表示する沸き上げ完了時間表示として、時間後表示と時刻表示の何れか一方を選択するものであることを特徴とする請求項１に記載の貯湯式給湯機。
【請求項３】
前記リモートコントローラは、前記貯湯タンクの前記貯湯タンク現在熱量が前記必要給湯熱量に到達した時に、音で報知する報知部をさらに備えていることを特徴とする請求項１または２に記載の貯湯式給湯機。
【発明の詳細な説明】
【技術分野】
【０００１】
本発明は、貯湯式給湯機に関し、特に必要熱量沸き上げ完了時間を表示する貯湯式給湯機に関する。
【背景技術】
【０００２】
従来、罐体の水を電気ヒータで加熱して、所定の温度の湯を貯留あるいは供給する電気湯沸器では、水温検出センサで貯留されている水の温度を検出し、水温が上昇し始めた予測開始点から単位温度だけ上昇した基準点、および単位温度ずつ上昇した抽出点におけるそれぞれの水温と、上昇するのに要した時間とから、水が沸騰すると思われる沸騰予測点までの沸き上がり予測時間を演算し、表示する電気湯沸器が開示されている（例えば、特許文献１参照）。
【０００３】
また、貯湯タンク内の残湯量が所定量以下になると沸上手段で沸き増しする給湯装置では、貯湯タンク内の湯の熱を浴槽の湯水の加熱に利用するか否かによって、沸増しを開始する条件を変更する給湯装置が開示されている（例えば、特許文献２参照）。
【０００４】
さらに、湯切れ沸き上げ制御手段が残湯量検出手段で検出したタンクの残湯量レベルが判定値を下回ると、残湯量が判定値以上になるまで沸き上げ手段を介してタンク内の水を沸き上げる貯湯式給湯装置では、残湯レベル設定手段が時刻やふろ湯張りをしたかどうか等の条件によって、常時その時点の必要湯量を判断し、湯切れ沸き上げ制御手段の判定値を切り替えることにより、使用実態に即した湯切れ沸き上げ制御を行い、昼間電力を効率的に使うことのできる貯湯式給湯装置が開示されている（例えば、特許文献３参照）。
【先行技術文献】
【特許文献】
【０００５】
【特許文献１】実用新案登録第２５０６３１９号公報
【特許文献２】特開２００４−２５７６２２号公報
【特許文献３】特開２００５−７６９４０号公報
【発明の概要】
【発明が解決しようとする課題】
【０００６】
しかしながら、上記特許文献１にあっては、貯湯タンク全体が沸騰するまでの予測時間を演算し、それを表示するため、貯湯タンク全体が沸騰するよりも少ない量を沸き上げるまでの時間を知りたい場合などは、使用者自身で沸き上げ完了時間を予測しなくてはならず、面倒な上、正確な待ち時間等がわからないという問題があった。
【０００７】
また、上記特許文献２および３にあっては、貯湯タンク内の残湯量が所定量以下になると、沸き増しを行うものであるが、残湯量に応じて沸き上げ完了時間を予測するといった演算処理を行わないため、沸き上げまでに必要な時間（使用者が湯の使用をどれくらい控えれば良いかの時間）がわからず、使用を控える者にとってストレスになるという問題があった。
【０００８】
また、上記特許文献１〜３の組み合わせを考えた場合、貯湯タンク内の残湯量が所定量以下というように、湯量が変化する状況下において、沸き上げるまでの予測時間を算出するという具体的な演算手段が開示されていないため、貯湯タンク全体が沸騰するよりも少ない量を沸き上げるまでの時間を知りたい場合などは、やはり使用者自身で沸き上げ完了時間を予測する他なく、面倒で正確な待ち時間がわからないという問題があった。
【０００９】
本発明は、使用者が湯水沸き上げ完了時間を予測する手間を省くことができる貯湯式給湯機を得ることを目的とする。
【課題を解決するための手段】
【００１０】
上述した課題を解決し、目的を達成するために、本発明は、貯湯タンクと、貯湯タンクに貯留された湯水を湯に沸き上げる熱源機と、貯湯タンク内の残湯量と残湯温度とを検出する残湯量／温度検出部と、貯湯タンクに給水する水の温度を検出する給水温度検出部と、残湯量／温度検出部と給水温度検出部との情報により熱源機を制御して前記貯湯タンクに貯留された湯水を沸き上げる制御部と、制御部と通信するリモートコントローラとを備え、貯湯タンクに貯留した湯を貯湯タンクから所定の給湯先に供給する貯湯式給湯機であって、リモートコントローラは、使用者が必要とする給湯温度を設定する給湯温度設定部と、使用者が必要とする給湯量を設定する給湯量設定部と、表示部とを備え、制御部は、給湯温度設定部と給湯量設定部とで設定された設定値に基づいて使用者が給湯に必要としている必要給湯熱量と、残湯量／温度検出部と給水温度検出部とで検出された検出値に基づいて貯湯タンク現在熱量を算出し、熱源機により湯水を湯に沸き上げる給湯機加熱能力に基づいて、貯湯タンクの湯水の沸き上げを開始してから必要給湯熱量に到達するまでの沸き上げ完了時間を算出し、リモートコントローラの表示部に該算出した沸き上げ完了時間を表示するように制御する。
【発明の効果】
【００１１】
本発明によれば、使用者自身で湯水沸き上げ完了時間を予測する手間を省くことができるという効果を奏する。
【図面の簡単な説明】
【００１２】
【図１】本発明の貯湯式給湯機の一構成例を示す概略図である。
【図２】本発明の実施の形態１に係る沸き上げ時間表示機能を備えた貯湯式給湯機のリモートコントローラの外観図である。
【図３】本発明の実施の形態１に係るフローチャートである。
【図４】本発明の実施の形態２に係るフローチャートである。
【図５】本発明の実施の形態３に係る沸き上げ時間表示機能と報知機能とを備えた貯湯式給湯機のリモートコントローラの外観図である。
【図６】本発明の実施の形態３に係るフローチャートである。
【発明を実施するための形態】
【００１３】
以下に、本発明に係る貯湯式給湯機の実施の形態を図面に基づいて詳細に説明する。なお、この実施の形態によりこの発明が限定されるものではない。
【００１４】
実施の形態１．
図１は、本発明の貯湯式給湯機の一構成例を示す概略図である。図１に示すように、本実施の形態１に係る貯湯式給湯機１は、水を湯に沸き上げて所望箇所に給湯する機能と、浴槽８０内の浴水８０ａを追いだきする機能とを有するものであり、給湯タンクユニット１０、ヒートポンプユニット５０、およびリモートコントローラ６０Ａ，６０Ｂなどを備えている。
【００１５】
給湯タンクユニット１０は、湯水を貯える貯湯タンク１２と、その貯湯タンク１２に給水される市水の温度ｔ０（℃）を検出する給水温度センサ１４と、貯湯タンク１２の上端からの容量で貯湯タンクの下方向にＶ３（Ｌ：リットル）の位置に設けられた温度センサ１２ａ、温度センサ１２ａからＶ２（Ｌ：リットル）の位置に設けられた温度センサ１２ｂ、温度センサ１２ｂからＶ１（Ｌ：リットル）の位置に設けられた温度センサ１２ｃとを少なくとも備えている。ここでは、温度センサを所定間隔毎に３ヶ所設けたが、温度センサをこれより多く設置することで、貯湯タンク１２内の水温と水量とをさらに細かく検出できるようにしても良い。
【００１６】
また、貯湯タンクユニット１０には、貯湯タンクユニット全体を制御する貯湯タンクユニット制御部１１を備えており、温度センサ１２ａ、温度センサ１２ｂ、温度センサ１２ｃによって検出された残湯温度ｔ３（℃）とｔ２（℃）とｔ１（℃）とに基づいて、貯湯タンク１２が現在持っている熱量、いわゆる貯湯タンク現在熱量Ｑ２（ｋｃａｌ）を以下の演算式（１）を用いて算出する。
貯湯タンク現在熱量Ｑ２（ｋｃａｌ）＝ｔ１（℃）×Ｖ１（Ｌ）＋ｔ２（℃）×Ｖ２（Ｌ）＋ｔ３（℃）×Ｖ３（Ｌ）−ｔ０（℃）×｛Ｖ１（Ｌ）＋Ｖ２（Ｌ）＋Ｖ３（Ｌ）｝・・・（１）
【００１７】
そして、貯湯タンクユニット制御部１１には、貯湯タンク１２内の熱量がある一定の熱量よりも低くなった場合に、貯湯タンク１２内の湯水の沸き上げを開始する基準となる貯湯タンク設定熱量Ｑ３（ｋｃａｌ）が予め設定されている。すなわち、貯湯タンクユニット制御部１１は、上記算出した貯湯タンク現在熱量Ｑ２（ｋｃａｌ）が、予め設定されている貯湯タンク設定熱量Ｑ３（ｋｃａｌ）より少なくなった場合に、ヒートポンプユニット５０に対して貯湯タンク１２内の湯水の沸き上げを開始するように制御する。
【００１８】
図２は、本発明の実施の形態１に係る沸き上げ時間表示機能を備えた貯湯式給湯機のリモートコントローラの外観図である。図１に示す貯湯式給湯機１のリモートコントローラ６０Ａ，６０Ｂは、例えば図２のように構成されている。
【００１９】
リモートコントローラ６０Ａ，６０Ｂは、使用者が日常生活で使用する最低限必要な給湯熱量である必要給湯熱量Ｑ１（ｋｃａｌ）を設定するための、必要給湯温度スイッチ６３と、必要給湯量スイッチ６４とを備えていると共に、これらのスイッチ６３，６４によって設定された値を表示するための表示部６１を備えている。この表示部６１は、必要給湯温度表示部６１ａと、必要給湯量表示部６１ｂと、後述する必要給湯熱量沸き上げ時間表示部６１ｃとを備えている。また、リモートコントローラ６０Ａ，６０Ｂは、必要給湯熱量沸き上げ時間表示部６１ｃに表示される時間表示を、時間後表示とするか、時刻表示とするかを切り換える表示切換スイッチ６２を備えている。さらに、リモートコントローラ６０Ａ，６０Ｂは、給湯温度、ふろ温度、ふろ湯量、現在時刻などを表示する表示部６５、給湯温度設定スイッチ６６、ふろ温度設定スイッチ６７、ふろ湯量設定スイッチ６８、ふろ自動沸き上げスイッチ６９、および追いだきスイッチ７０などを備えている。
【００２０】
図１に示す貯湯タンクユニット制御部１１は、必要給湯温度スイッチ６３で使用者が任意に設定した必要給湯温度ｔｈ（℃）と、必要給湯湯量スイッチ６４で使用者が任意に設定した必要給湯湯量Ｖｈ（Ｌ：リットル）と、給水温度センサ１４が検出した貯湯タンク１２に給水される市水の温度ｔ０（℃）とに基づいて、使用者が給湯に必要としている必要給湯熱量Ｑ１（ｋｃａｌ）を以下の演算式（２）を用いて算出する。
必要給湯熱量Ｑ１（ｋｃａｌ）＝｛ｔｈ（℃）−ｔ０（℃）｝×Ｖｈ（Ｌ）・・（２）
【００２１】
さらに、貯湯タンクユニット制御部１１は、演算式（１）で算出した貯湯タンク現在熱量Ｑ２（ｋｃａｌ）と、演算式（２）で算出した必要給湯熱量Ｑ１（ｋｃａｌ）と、貯湯式給湯機１のヒートポンプユニット５０が持っている給湯機加熱能力Ｑ０（ｋｃａｌ／ｈ）とに基づいて、使用者が給湯に必要としている必要給湯熱量を沸き上げるまでに要する必要給湯熱量沸き上げ時間Ｔｈｗ（ｈ）を以下の演算式（３）を用いて算出する。
必要給湯熱量沸き上げ時間Ｔｈｗ（ｈ）＝｛Ｑ１（ｋｃａｌ）−Ｑ２（ｋｃａｌ）｝／Ｑ０（ｋｃａｌ／ｈ）・・（３）
【００２２】
そして、貯湯タンクユニット制御部１１は、演算式（３）を使って算出した必要給湯熱量沸き上げ時間Ｔｈｗ（ｈ）を、図２の必要給湯熱量沸き上げ時間表示部６１ｃに表示させるよう制御する。
【００２３】
また、図１の貯湯式給湯機１における上記以外の構成部については、以下のように構成されている。すなわち、ヒートポンプユニット５０は、冷媒を圧縮するコンプレッサ５１と、放熱器に相当する水冷媒熱交換器５２と、膨張弁５３と、空気熱交換器５４と、これらを環状に接続する循環配管５５とを有する冷凍サイクル部５６、および該冷凍サイクル部５６の動作を制御するヒートポンプユニット制御部５７を備え、熱源機として機能している。上記の冷凍サイクル部５６では、二酸化炭素等の冷媒がコンプレッサ５１で圧縮されて高温、高圧となった後に水冷媒熱交換器５２で放熱し、膨張弁５３で減圧され、空気熱交換器５４で吸熱してガス状態となってコンプレッサ５１に吸入される。
【００２４】
この冷凍サイクル部５６は、ヒートポンプユニット制御部５７と一緒にヒートポンプユニット５０を構成している。そして、ヒートポンプユニット制御部５７は、上記した貯湯タンクユニット制御部１１に接続され、該貯湯タンクユニット制御部１１により動作制御される。したがって、ヒートポンプユニット５０は、貯湯タンクユニット制御部１１により動作制御される。
【００２５】
一方、貯湯タンクユニット１０は、貯湯タンク１２、給水管路４０、貯湯用循環管路４１、熱源側循環管路４２、負荷側循環管路４３、ふろ熱交換器１８、給湯管路４４、および貯湯タンクユニット制御部１１などを備えている。
【００２６】
上記した貯湯タンク１２は、給水管路４０から供給される低温水を貯留すると共にヒートポンプユニット５０で沸き上げられた湯を貯留する積層式の貯湯タンクであり、その下部には給水管路４０と、貯湯用循環管路４１の往き管４１ａとが接続されており、上部には貯湯用循環管路４１の戻り管４１ｂと、給湯管路４４とが接続されている。
【００２７】
給水管路４０は、市水等の水を貯湯タンク１２、給湯管路４４、および所定の給湯先に供給する管路であり、減圧弁１３、給水温度センサ１４、および第１〜第３給水管部４０ａ〜４０ｃを有している。減圧弁１３は、第１給水管部４０ａの途中に設けられていて、水道等の水源（図示せず）からの水の水圧を所定値以下まで減じるものである。給水温度センサ１４は、第１給水管部４０ａの減圧弁３３の下流側に設けられ、給水管４０内の水の温度を検知する。第１給水管部４０ａと第２給水管部４０ｂとは、水源と貯湯タンク１２とを繋ぎ、第３給水管部４０ｃは、給水温度センサ１４と減圧弁１３とを介して第１給水管部４０ａと後述する第１〜第２混合弁２２，２３とを繋いでいる。図１の例では、給湯先の例として１つの給湯栓１５が示されている。
【００２８】
貯湯用循環管路４１は、貯湯タンク１２の下部からヒートポンプユニット５０中の水冷媒熱交換器５２を経由して貯湯タンク１２の上部に達する管路であり、ヒートポンプ循環ポンプ１６、往き管４１ａ、戻り管４１ｂを有している。ヒートポンプ循環ポンプ１６は往き管４１ａに設けられている。往き管４１ａは貯湯タンク１２の下部と水冷媒熱交換器５２とを繋ぎ、戻り管４１ｂは水冷媒熱交換器５２と貯湯タンク１２の上部とを繋ぐ。
【００２９】
熱源側循環管路４２は、貯湯タンク１２の上部からふろ熱交換器１８を経由して貯湯タンク１２の下部に達する管路であり、ふろ循環熱源ポンプ１９と、往き管４２ａと、戻り管４２ｂとを有している。ふろ循環熱源ポンプ１９は、戻り管４２ｂに設けられている。往き管４２ａは、貯湯タンク１２の上部とふろ熱交換器１８の上部とを繋ぎ、戻り管４２ｂは、ふろ熱交換器１８の下部と貯湯タンク１２の下部とを繋ぐ。
【００３０】
負荷側循環管路４３は、浴槽８０からふろ熱交換器１８を経由して再び浴槽８０に戻る管路であり、往き管４３ａ、ふろ循環ポンプ２１、追いだき温度センサ２０、および戻り管４３ｂを有している。追いだき温度センサ２０とふろ循環ポンプ２１は、往き管４３ａに設けられている。往き管４３ａは、浴槽８０とふろ熱交換器１８の下部とを繋ぎ、戻り管４３ｂは、ふろ熱交換器１８の上部と浴槽８０とを繋ぐ。
【００３１】
往き管４３ａに設けられている追いだき温度センサ２０は、往き管４３ａ内の浴水８０ａの温度を検知し、ふろ循環ポンプ２１は浴槽８０内の浴水８０ａを負荷側循環管路４３に循環させる。これら追いだき温度センサ２０およびふろ循環ポンプ２１の各々は、ふろ熱交換器１８側からこの順番で設けられている。
【００３２】
ふろ熱交換器１８は、浴水８０ａを追いだきするための熱源機として機能し、熱源側循環管路４２を流れる湯と負荷側循環管路４３を流れる浴水８０ａとの間で熱交換を行って浴水８０ａを加熱する。例えば、複数の伝熱プレート（図示せず）が高さ方向に積層されたプレート式の水−水熱交換器がふろ熱交換器１８として用いられる。
【００３３】
給湯管路４４は、貯湯タンク１２に貯留された湯と第３給水管部４０ｃからの水とを電動式のふろ用電動混合弁２２または給湯用電動混合弁２３で混合して所定温度の温湯に調製し、該温湯を浴槽８０や所定の給湯先、図示の例では給湯栓１５に供給する。この給湯管路４４は、貯湯タンク１２の上部とふろ用電動混合弁２２および給湯用電動混合弁２３の各々とを繋ぐ第１給湯管部４４ａ、ふろ用電動混合弁２２と負荷側循環管路４３の戻り管４３ｂとを繋ぐ第２給湯管部４４ｂ、および給湯用電動混合弁２３と給湯先（給湯栓１５）とを繋ぐ第３給湯管部４４ｃとを有している。
【００３４】
図１の例では、第１給湯管部４４ａでの貯湯タンク１２側の一区間が往き管４２ａでの貯湯タンク１２側の一区間を兼ねている。第１給湯管部４４ａには、貯湯タンク温度センサ３０が設けられ、貯湯タンク１２から給湯される湯の温度を検知し、その検知結果を貯湯タンクユニット制御部１１に送る。また、第２給湯管部４４ｂには、例えば電磁弁により構成され、第２給湯管部４４ｂでの湯水の流量を調整するふろ給湯電磁弁２４と、第２給湯管部４４ｂでの湯水の流量を検知するふろ湯量センサ２５と、第２給湯管部４４ｂでの湯水の温度を検知するふろ用温度センサ２６とがふろ用電動混合弁２２側からこの順番で設けられている。第３給湯管部４４ｃには、該第３給湯管部４４ｃの湯水の温度を検知する給湯用温度センサ２７と、当該第３給湯管部４４ｃ内の湯水の流量を検知する給湯用流量センサ２８とが給湯用電動混合弁２３側からこの順番で設けられている。
【００３５】
貯湯タンクユニット制御部１１は、ヒートポンプユニット制御部５７、ヒートポンプ循環ポンプ１６、ふろ循環熱源ポンプ１９、ふろ循環ポンプ２１、ふろ用電動混合弁２２、給湯用電動混合弁２３、およびふろ給湯電磁弁２４に接続され、リモートコントローラ６０Ａ，６０Ｂから受信した指令または情報に応じて上記の各構成要素の動作を制御する。このとき、温度センサ１２ａ〜１２ｃ、給湯用温度センサ１４、ふろ湯量センサ２５、ふろ用温度センサ２６、給湯用温度センサ２７、給湯用流量センサ２８、または貯湯タンク温度センサ３０のそれぞれの検知結果ないし検出結果を利用する。また、逃し弁２９は、湯の沸上げに伴う湯水の体積膨張により貯湯タンク１２の内圧が圧力設定値（給水圧）よりも高くなると、開弁して圧力を逃すようにする。逃し弁２９が開弁する際の上記圧力設定値は、貯湯式給湯機１のメーカにより適宜選定される。なお、この逃し弁２９は、貯湯タンク１２の水張り時などでは手動で開弁される。 図１においては、貯湯タンクユニット制御部１１とヒートポンプユニット制御部５７、温度センサ１２ａ〜１２ｃ、給水温度センサ１４、および各リモートコントローラ６０Ａ，６０Ｂとの接続関係を二点鎖線の矢印で示している。
【００３６】
上述の各構成要素を備えた貯湯式給湯機１は、給水管路４０から貯湯タンク１２に給水して該貯湯タンク１２、貯湯用循環管路４１、熱源用循環管路４２、負荷側循環管路４３、および給湯管路４４が満水状態にされた後に、使用に供される。
【００３７】
本実施の形態１に係る貯湯式給湯機１は、以上のように構成されており、以下その動作について図３を用いて説明する。図３は、本発明の実施の形態１に係るフローチャートである。まず、使用者が図１および図２に示すリモートコントローラ６０Ａ，６０Ｂのいずれかの必要給湯温度スイッチ６３と必要給湯量スイッチ６４とを用いて、必要給湯温度ｔｈ（℃）と必要給湯量Ｖｈ（Ｌ）とを設定する（ステップＳ１００）。
【００３８】
すると、貯湯タンクユニット制御部１１は、上述したように、温度センサ１２ａ〜１２ｃによって検出された残湯温度ｔ３（℃）とｔ２（℃）とｔ１（℃）とに基づいて、貯湯タンク１２が現在持っている貯湯タンク現在熱量Ｑ２（ｋｃａｌ）を算出する。そして、貯湯タンクユニット制御部１１は、貯湯タンク１２内の湯水の沸き上げを開始するために予め設定してある貯湯タンク設定熱量Ｑ３（ｋｃａｌ）と、貯湯タンク現在熱量Ｑ２（ｋｃａｌ）とを比較し（ステップＳ１０１）、貯湯タンク現在熱量Ｑ２（ｋｃａｌ）が貯湯タンク設定熱量Ｑ３（ｋｃａｌ）より小さい場合は（ステップＳ１０１でＹＥＳ）、ヒートポンプユニット５０に対して貯湯タンク１２内の湯水の沸き上げを開始するよう制御する（ステップＳ１０２）。
【００３９】
また、ステップＳ１０１において、貯湯タンク現在熱量Ｑ２（ｋｃａｌ）が貯湯タンク設定熱量Ｑ３（ｋｃａｌ）と同じか、それ以上の場合は（ステップＳ１０１でＮＯ）、沸き上げを行う必要がないため、沸き上げを終了する（ステップＳ１０３）。
【００４０】
さらに、ステップＳ１０２における沸き上げ開始後、貯湯タンクユニット制御部１１は、必要給湯温度スイッチ６３で使用者が任意に設定した必要給湯温度ｔｈ（℃）と、必要給湯湯量スイッチ６４で使用者が任意に設定した必要給湯湯量Ｖｈ（Ｌ：リットル）と、上記給水温度センサ１４が検出した貯湯タンク１２に給水される市水の温度ｔ０（℃）とに基づいて、使用者が給湯に必要としている必要給湯熱量Ｑ１（ｋｃａｌ）を算出する。そして、貯湯タンクユニット制御部１１は、上記した貯湯タンク現在熱量Ｑ２（ｋｃａｌ）と、算出した必要給湯熱量Ｑ１（ｋｃａｌ）とを比較し（ステップＳ１０４）、貯湯タンク現在熱量Ｑ２（ｋｃａｌ）が必要給湯熱量Ｑ１（ｋｃａｌ）よりも小さい場合は（ステップＳ１０４でＹＥＳ）、必要給湯熱量Ｑ１（ｋｃａｌ）と、貯湯タンク現在熱量Ｑ２（ｋｃａｌ）と、ヒートポンプユニット５０の給湯機加熱能力Ｑ０（ｋｃａｌ／ｈ）とによって、貯湯タンク１２の熱量が必要給湯熱量Ｑ１（ｋｃａｌ）になるまでの必要給湯熱量沸き上げ時間Ｔｈｗ（ｈ）を算出し、その完了時間をリモートコントローラ６０Ａ，６０Ｂの表示部６１内の必要給湯熱量沸き上げ時間表示部６１ｃに点灯表示させる（ステップＳ１０５）。
【００４１】
ここでは、表示する完了時間として、現時点から何時間後という時間後表示で表示している（図２参照）。この必要給湯熱量沸き上げ時間Ｔｈｗ（ｈ）は、常時算出されるため、使用者が給湯したり、前記貯湯タンク１２の沸き上げが開始してからしばらく時間が経過したために、前記貯湯タンク現在熱量Ｑ２（ｋｃａｌ）が変化したり、使用者が必要給湯温度ｔｈ（℃）や必要給湯量Ｖｈ（Ｌ）の設定を変更したりして、前記必要給湯熱量Ｑ１（kcal）が変化する度に、必要給湯熱量沸き上げ時間Ｔｈｗ（ｈ）が変化する。このように、リモートコントローラ６０Ａ，６０Ｂの表示部６１内の必要給湯熱量沸き上げ時間表示部６１ｃの時間後表示は随時更新される（ステップＳ１０５）。
【００４２】
また、ステップＳ１０４において、貯湯タンク現在熱量Ｑ２（ｋｃａｌ）が必要給湯熱量Ｑ１（ｋｃａｌ）と同じか、それ以上の場合は（ステップＳ１０４でＮＯ）、沸き上げを行う必要がないため、必要給湯熱量沸き上げ時間表示部６１ｃの表示を消灯させる（ステップＳ１０６）。
【００４３】
このように、本実施の形態１に係る貯湯式給湯機１によれば、リモートコントローラ６０Ａ，６０Ｂの表示部６１内の必要給湯熱量沸き上げ時間表示部６１ｃに時間後表示がなされるため、使用者が必要としている給湯熱量まで後何時間で貯湯タンク１２の湯水が沸き上がるかが一目瞭然となり、ストレスを感じることなく沸き上がりを待つことができる。なお、この時間後表示の単位は、時でも時分でも時分秒でもよい。
【００４４】
特に、本実施の形態１に係る貯湯式給湯機１によれば、リモートコントローラ６０Ａ，６０Ｂに備えられた必要給湯温度スイッチ６３と必要給湯湯量スイッチ６４とにより、使用者の給湯パターンに応じた必要給湯熱量を自由に設定することができ、貯湯タンク１２が必要給湯熱量Ｑ１（ｋｃａｌ）に沸き上げるまでの時間を、リモートコントローラ６０Ａ，６０Ｂに備えられた必要給湯熱量沸き上げ時間表示部６１ｃに何時間後という時間後表示で分かりやすく表示されるため、使用者が必要とする給湯熱量である必要給湯熱量Ｑ１（ｋｃａｌ）となるまでの沸きあがり時間を使用者自身で予測する手間を省くことができる便利な貯湯式給湯機を提供することができる。
【００４５】
実施の形態２．
図４は、本発明の実施の形態２に係るフローチャートである。実施の形態２における特徴は、必要給湯熱量沸き上げ時間を表示する際に、実施の形態１では時間後表示で表示したが、時刻表示でも表示できるように選択可能にした点である。
【００４６】
実施の形態２におけるリモートコントローラ６０Ａ，６０Ｂは、実施の形態１における図２とほぼ同様であるため、図１、図２、および図４のフローチャートを用いて説明する。なお、図４の図３と同一部分または相当部分は同一符号を付し説明を省略する。図２に示すリモートコントローラ６０Ａ，６０Ｂの表示切換スイッチ６２は、必要給湯熱量沸き上げ時間表示部６１ｃの表示を、あと何時間後と表示するのか（時間後表示）、時刻で何時になると沸き上げ完了と表示するか（時刻表示）を使用者が任意に切り替えることのできるスイッチである。
【００４７】
図４においてステップＳ１００〜Ｓ１０４、およびＳ１０６については実施の形態１の図３と同様なため説明を省略する。
【００４８】
ステップＳ１０４に続くステップＳ２０６では、実施の形態２の貯湯タンクユニット制御部１１は、必要給湯熱量沸き上げ時間表示部６１ｃにおける完了時間表示が時刻表示状態にあるか否かを判断する。貯湯タンクユニット制御部１１は、リモートコントローラ６０Ａ，６０Ｂの表示切換スイッチ６２の状態を常時監視していて、時間後表示状態であれば（ステップＳ２０６でＮＯ）、上記算出した必要給湯熱量沸き上げ時間Ｔｈｗ（ｈ）より、何時間後に貯湯タンク１２の熱量が沸き上がるかを算出し、前記必要給湯熱量沸き上げ時間表示部６１ｃに時間後表示で表示させる（ステップＳ２０７：図２参照）。
【００４９】
また、ステップＳ２０６において、使用者が表示切換スイッチ６２を用いて時刻表示を選択している場合は、ステップＳ２０８に移行する。そして、貯湯タンクユニット制御部１１は、算出した必要給湯熱量沸き上げ時間Ｔｈｗ（ｈ）により、何時何分に貯湯タンク７の熱量が沸き上がるかを算出し、必要給湯熱量沸き上げ時間表示部６１ｃに時刻で表示するようにする（ステップＳ２０８）。
【００５０】
このように、本実施の形態２に係る貯湯式給湯機１によれば、リモートコントローラ６０Ａ，６０Ｂの表示部６１内の必要給湯熱量沸き上げ時間表示部６１ｃの表示が、使用者の好みに応じて時間後表示から時刻表示に切り換えることができるので、使用者が必要給湯熱量沸き上げ時間表示部６１ｃの時間後表示を時刻表示に換算しなおす手間を省くことができる。なお、この時間表示の単位は、時でも時分でも時分秒でもよい。
【００５１】
特に、本実施の形態２に係る貯湯式給湯機１によれば、リモートコントローラ６０Ａ，６０Ｂに備えられた表示切換スイッチ６２により、使用者の好みに応じて必要給湯熱量沸き上げ時間表示部６１ｃの表示を、時間後表示と時刻表示の何れも容易に選択することができるため、使用者が必要とする給湯熱量である前記必要給湯熱量Ｑ１（ｋｃａｌ）までの沸きあがり時間を使用者が時間後表示から時刻表示に換算しなおす手間を省くことができる便利な貯湯式給湯機を提供することができる。
【００５２】
実施の形態３．
図５は、本発明の実施の形態３に係る沸き上げ時間表示機能と報知機能とを備えた貯湯式給湯機のリモートコントローラの外観図であり、図６は、本発明の実施の形態３に係るフローチャートである。図５と図２のリモートコントローラ６０Ａ，６０Ｂの違いは、沸きあがりなどの状態を音声で報知するための報知部としてのスピーカ７１を備えている点にあり、その他の部分は図２と同じであるので、また図６についても図３と途中動作までは同様であるので、同一部分または相当部分に同一符号を付して説明を省略する。
【００５３】
本実施の形態３の動作を図１、図５、および図６を用いて説明する。実施の形態３に係る貯湯式給湯機１は、使用者が図５に示すリモートコントローラ６０Ａ，６０Ｂのいずれかの必要給湯温度スイッチ６３と必要給湯量スイッチ６４とを用いて、必要給湯温度ｔｈ（℃）と必要給湯量Ｖｈ（Ｌ）とを設定する（図６のステップＳ１００）ところから、必要給湯熱量沸き上げ時間表示部６１ｃの表示を消灯させる（ステップＳ１０６）までは、実施の形態１と同様であるので説明を省略する。
【００５４】
ステップＳ１０６に続くステップＳ３０７において、リモートコントローラ６０Ａ，６０Ｂに備えられたスピーカ７１にて、使用者に対し音または音声にて貯湯タンク１２が必要給湯熱量Ｑ１（ｋｃａｌ）まで沸きあがったことを報知する。
【００５５】
このように、本実施の形態３に係る貯湯式給湯機１によれば、使用者が必要給湯熱量沸き上げ完了時間表示部６１ｃに表示されていた内容を忘れても、リモートコントローラ６０Ａ，６０Ｂに備えられたスピーカ７１にて貯湯タンク１２が必要給湯熱量Ｑ１（ｋｃａｌ）まで沸き上がったことを音また音声で報知するので、気づくことができる。
【００５６】
特に、本実施の形態３に係る貯湯式給湯機１によれば、リモートコントローラ６０Ａ，６０Ｂに備えられたスピーカ７１にて貯湯タンク１２が必要給湯熱量Ｑ１（ｋｃａｌ）まで沸き上がったことを音また音声で報知するので、使用者が必要給湯熱量沸き上げ完了時間Ｔｈｗ（ｈ）を常に気にしながら生活する必要のない便利な貯湯式給湯機を提供することができる。
【符号の説明】
【００５７】
１  貯湯式給湯機
１１  貯湯タンクユニット制御部
１２  貯湯タンク
１２ａ〜１２ｃ  温度センサ
１４  給水温度センサ
１５  給湯栓
２９  逃がし弁
３０  貯湯タンク温度センサ
５０  ヒートポンプユニット（熱源機）
５７  ヒートポンプユニット制御部
６０Ａ，６０Ｂ  リモートコントローラ
６１  表示部
６１ａ  必要給湯温度表示部
６１ｂ  必要給湯量表示部
６１ｃ  必要給湯熱量沸き上げ時間表示部
６２  表示切換スイッチ
６３  必要給湯温度スイッチ
６４  必要給湯量スイッチ
６５  表示部
６６  給湯温度設定スイッチ
７１  スピーカ
【図１】
2010281545.tif 000003
【図２】
2010281545.tif 000004
【図３】
2010281545.tif 000005
【図４】
2010281545.tif 000006
【図５】
2010281545.tif 000007
【図６】
2010281545.tif 000008